(57)【要約】【課題】射出成形等によらないフレキシブルな光拡散フィルムを所定形状に支持するだけでランプハウスを柔軟に形成し得るようにした遊技機を提供する。【解決手段】本パチンコ機では、演出用照明装置５４ａが、形状変化がフレキシブルな光拡散フィルム１０１と、該光拡散フィルム１０１を所定状態に支持するリブ部９９と、該リブ部９９に支持された光拡散フィルム１０１に背面側から光投射するＬＥＤ９６を実装した照明基板９７とを有する。このため、光拡散フィルム１０１を所定形状に支持するだけでランプハウス６４を柔軟に形成でき、射出成形等で作製された光照射面の背面側に発光体を配置しただけの従来の演出用照明装置に比して、柔軟性のある演出用照明装置５４ａを実現することができる。【選択図】図７
2008200218.tif 000002
【特許請求の範囲】
【請求項１】
画像表示装置の画面を開口部から露出させた状態で遊技領域に配置され、かつ前記開口部の少なくとも一縁部に演出用照明装置を有するセンター役物を備えた遊技機において、
前記演出用照明装置は、
形状変化がフレキシブルな光拡散フィルムと、
該光拡散フィルムを所定の状態に支持する支持部と、
該支持部に支持された前記光拡散フィルムにその背面側から光投射する発光素子を実装した照明基板と、を備え、
前記支持部は、前記照明基板の前側にてランプハウスを形成するように湾曲する複数本のリブ部であり、
該リブ部それぞれの湾曲状の外面に前記光拡散フィルムを接触させて湾曲状に保持するフィルム保持部を備えてなる、
ことを特徴とする遊技機。
【請求項２】
前記光拡散フィルムは、矩形状に形成されてなり、
前記フィルム保持部は、前記リブ部に接触して湾曲状となった前記光拡散フィルムの一縁部と他縁部とをそれぞれ挟み込んで保持する各二列の櫛歯状部からなる、
請求項１記載の遊技機。
【請求項３】
前記開口部の前記一縁部とは異なる他縁部に配置される第２の演出用照明装置を更に備え、
該第２の演出用照明装置は、光を透過し拡散する光拡散パネルと、該光拡散パネルにその背面側から光投射する発光素子を実装した第２の照明基板と、を備えてなる、
請求項１又は２記載の遊技機。
【発明の詳細な説明】
【技術分野】
【０００１】
本発明は、パチンコ機等の遊技機に係り、詳しくは、演出用照明装置を有するセンター役物を備えた遊技機に関する。
【背景技術】
【０００２】
一般に、遊技機、例えばパチンコ機として、球受け皿に滞留している遊技球が、発射ハンドルの操作に応じて遊技盤の遊技領域に打ち出された後、遊技領域の障害釘や風車等に導かれつつ盤面を流下して、各種入賞口に入球し、或いは入球せずに遊技盤下部のアウト口に流入するように構成されたものが知られている。
【０００３】
このようなパチンコ機では、一般入賞口に入球した際にそれに対応した個数の遊技球が払い出され、また始動チャッカーに入球した際にはこれに基づいて大当たり抽選が行われると共に所定数の遊技球が払い出され、当該抽選の結果に応じて、遊技盤の中央部分に設けられた液晶等の画像表示装置の画面上で所定の演出表示が行われる。大当たりの発生時には、アタッカーと呼ばれる大入賞口が開放し、入球に対応して多量の遊技球が払い出される状態となる。
【０００４】
上述のような従来のパチンコ機において、遊技領域の中央部分にセンター飾りを備え、このセンター飾りの側部にワープ導入口を備え、このワープ導入口から入球した遊技球を始動チャッカー側に導くように転動させるステージを備えたものが存在する。また、このようなステージを有するパチンコ機において、ステージにおける所定の位置に球導入口を形成しておき、遊技領域に打ち出されてステージに導入された遊技球が上記球導入口への対応位置に偶然的に転動した際、該球導入口に落下させて、当該遊技球を略１００％の確率で始動チャッカーに入球させ得るようにしたものが存在する（特許文献１参照）。
【０００５】
【特許文献１】特開２０００−５１４４８号公報
【発明の開示】
【発明が解決しようとする課題】
【０００６】
ところで、上記特許文献１に記載されるようなパチンコ機では、センター飾りの液晶画面周囲に種々の演出用照明装置が配置され、それら演出用照明装置が遊技上の演出に対応するようにそれぞれ照明作動され、液晶画面上で奏される演出を盛り上げるように構成されている。しかし、それら演出用照明装置は、射出成形等で作製された光照射面の背面側にＬＥＤ（発光ダイオード）等の発光体を配置しただけの構成を有するものであり、設計上の自由度が低く、演出に応じて必要になる構成への柔軟性に欠ける虞があった。
【０００７】
そこで本発明は、射出成形等によらないフレキシブルな光拡散フィルムを所定形状に支持するだけでランプハウスを柔軟に形成し得るように構成し、もって上述した課題を解決した遊技機を提供することを目的とするものである。
【課題を解決するための手段】
【０００８】
請求項１に係る本発明は（例えば図１ないし図１０参照）、画像表示装置（３５）の画面（３５ａ）を開口部（３６）から露出させた状態で遊技領域（３ａ）に配置され、かつ前記開口部（３６）の少なくとも一縁部に演出用照明装置（５４ａ，５４ｂ）を有するセンター役物（２３）を備えた遊技機（１）において、
前記演出用照明装置（５４ａ，５４ｂ）は、
形状変化がフレキシブルな光拡散フィルム（１０１）と、
該光拡散フィルム（１０１）を所定の状態に支持する支持部（９９）と、
該支持部（９９）に支持された前記光拡散フィルム（１０１）にその背面側から光投射する発光素子（９６）を実装した照明基板（９７）と、を備え、
前記支持部は、前記照明基板（９７）の前側にてランプハウス（６４）を形成するように湾曲する複数本のリブ部（９９）であり、
該リブ部（９９）それぞれの湾曲状の外面に前記光拡散フィルム（１０１）を接触させて湾曲状に保持するフィルム保持部（９３ａ，９３ｂ及び９５ａ，９５ｂ）を備えてなる、
ことを特徴とする遊技機（１）にある。
【０００９】
請求項２に係る本発明は（例えば図７参照）、前記光拡散フィルム（１０１）が、矩形状に形成されてなり、
前記フィルム保持部は、前記リブ部（９９）に接触して湾曲状となった前記光拡散フィルム（１０１）の一縁部と他縁部とをそれぞれ挟み込んで保持する各二列の櫛歯状部（９３ａ，９３ｂ及び９５ａ，９５ｂ）からなる、
請求項１記載の遊技機（１）にある。
【００１０】
請求項３に係る本発明は（例えば図２及び図８参照）、前記開口部（３６）の前記一縁部とは異なる他縁部に配置される第２の演出用照明装置（２９ａ，２９ｂ，２９ｃ）を更に備え、
該第２の演出用照明装置（２９ａ，２９ｂ，２９ｃ）は、光を透過し拡散する光拡散パネル（１０４）と、該光拡散パネル（１０４）にその背面側から光投射する発光素子（１０３）を実装した第２の照明基板（１０２）と、を備えてなる、
請求項１又は２記載の遊技機（１）にある。
【００１１】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１２】
請求項１に係る本発明によると、演出用照明装置が、形状変化がフレキシブルな光拡散フィルムと、該光拡散フィルムを所定の状態に支持する支持部と、該支持部に支持された光拡散フィルムにその背面側から光投射する発光素子を実装した照明基板とを備えるので、射出成形等によらないフレキシブルな光拡散フィルムを所定形状に支持するだけでランプハウスを柔軟に形成することができる。このため、射出成形等で作製された光照射面の背面側に発光体を配置しただけの構成を有する従来の演出用照明装置に比して、設計上の自由度が高く、かつ演出に応じて必要になる構成への柔軟性を備えた演出用照明装置を実現することができる。更に、複数のリブ部外面に光拡散フィルムを接触させて湾曲状に保持するだけで照明基板の前側にランプハウスを容易に形成し、背面側に位置する発光素子の投射光を拡散して、演出用照明装置の前方を良好に照明することができるようになる。
【００１３】
請求項２に係る本発明によると、フィルム保持部が、湾曲状になった光拡散フィルムの一縁部と他縁部とをそれぞれ挟み込んで保持する各二列の櫛歯状部からなるので、光拡散フィルムを撓ませて櫛歯状部に挟み込むだけの極めて簡単な操作で、リブ部に接触させた湾曲状態に光拡散フィルムを確実に保持することができる。
【００１４】
請求項３に係る本発明によると、光拡散フィルムを所定状態に支持することでランプハウスを形成する演出用照明装置に加えて、光拡散パネルと該光拡散パネルに背面側から光投射する発光素子を実装した第２の照明基板とを有する第２の演出用照明装置を備えることで、センター役物に異なる構成の演出用照明装置をそれぞれ設け、照明構造を多様化することができる。
【発明を実施するための最良の形態】
【００１５】
以下、本発明に係る遊技機の実施形態として、遊技場等に設置されるパチンコ機を図面に沿って説明する。なお、後述する各実施の形態では、本発明の遊技機を所謂１種１種のパチンコ機として述べるが、本発明はこれに限らず、他の種別のパチンコ機にも適用可能であることは勿論である。なお、図１は、本発明の実施形態におけるパチンコ機１の外部構造を示す正面図である。
【００１６】
本パチンコ機１は、図１に示すように、発射ハンドル２の操作による発射装置（図示せず）の作動で遊技球（所謂パチンコ玉）を遊技盤３の遊技領域３ａに向かって打ち出しつつ遊技を行うもので、所謂確率変動等の大当たりが発生した状態でアタッカー５に入球した遊技球に対応する数の遊技球を払い出すように構成されている。上記確率変動当たり（「確変当たり」とも言う）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００１７】
図１に示すように、本実施形態におけるパチンコ機１は、開口を有する枠体状の筐体６と、この筐体６に開閉可能に装着された前扉７とを有しており、前扉７の前面には、透明ガラス９を有するガラス枠１０が開閉可能に取り付けられている。透明ガラス９の奥側には、遊技盤３が配設されている。前扉７における遊技盤３の左右には演出用照明装置１１が配設されており、前扉７における遊技盤３の上部中央には演出用照明装置８が配設されている。そして、前扉７における遊技盤３の左右上方及び左右下方にはスピーカー（図示せず）を有する放音装置１２がそれぞれ配設されている。また、ガラス枠１０における右側部には、前扉７を筐体６側に施錠し解放するための施錠装置１３が配設されている。なお、筐体６及び前扉７等から遊技機本体が構成されている。
【００１８】
前扉７における遊技盤３の下方には皿ユニット１６が設けられており、皿ユニット１６における右上部には、賞球及び貸球を含む遊技球が供給される球供給口１７が設けられ、皿ユニット１６における右上部壁面には、球貸ボタン１９ａ及びプリペイドカード返却ボタン１９ｂが設けられている。皿ユニット１６には、該皿ユニット１６上の遊技球を発射装置（図示せず）付近から皿ユニット下部の球排出口（図示せず）を通して下方に排出するための第１球抜きボタン２０ａと、皿ユニット１６上の遊技球を球供給口１７付近から上記球排出口を通して下方に排出するための第２球抜きボタン２０ｂとが設けられている。
【００１９】
また、皿ユニット１６の右部には、発射装置を操作して遊技球を遊技領域３ａに向けて打ち出すための発射ハンドル２が配設されている。更に、皿ユニット１６の左下方には灰皿２１、及び遊技者参加ボタン（所謂チャンスボタン）２２が配設されている。なお、図１中の符号１４は、発射ハンドル２の操作で発射された遊技球を遊技領域３ａに導くガイドレールを示している。
【００２０】
遊技領域３ａの中央部には、該遊技領域３ａに打ち出された遊技球の一部を導入してステージＳに案内する遊技球案内路３９，４４を有するセンター飾り（センター役物）２３が配設されている。このセンター飾り２３の中央部分には開口部３６が形成されている。遊技盤３には画像表示装置３５が、開口部３６から画面３５ａを露出させた状態で遊技盤裏面から装着されている。センター飾り２３の下部左右には、大当たり抽選に寄与しない一般の入賞が行われる一般入賞口２５ａ，２５ｂ，２６ａ，２６ｂが配設されており、センター飾り２３の下方には、第１及び第２始動チャッカー２７，２８と、アタッカー５とが順次配設されている。
【００２１】
第１及び第２始動チャッカー２７，２８は、大当たり抽選実行の契機となり得る入賞が行われるものであり、第２始動チャッカー２８は、始動チャッカー開閉ソレノイド７０（図１０参照）によって開放位置と閉止位置とに開閉動作するように作動させられる。第１始動チャッカー２７の直上方には、所謂命釘としての一対の障害釘３０が打ち込まれている。第２始動チャッカー２８は、直上方に配置された第１始動チャッカー２７の底部により、図１に示す閉塞状態では遊技球を入賞しないように構成されている。
【００２２】
アタッカー５は、大当たり発生時に開放され、遊技領域３ａに打ち出されて転動落下する遊技球を入賞させるものであり、大当たり発生中、例えば、１回の開放で９個の入球を完了した時点で閉じ、当該開閉動作を１５回繰り返すように構成される。なお、これらの入球数並びに開閉動作の回数は、９個や１５回に限定されることはなく、必要に応じて適宜設定され得るものである。
【００２３】
遊技領域３ａには、センター飾り２３の四方に風車３１が配設されており、ステージＳの下方における第１及び第２始動チャッカー２７，２８の左側には、普通図柄作動ゲート（スルーゲート）３２が配設されている。この普通図柄作動ゲート３２は、第２始動チャッカー２８を開閉動作させるための抽選の契機となる遊技球通過が行われる役物である。
【００２４】
そして、遊技領域３ａにおける普通図柄作動ゲート３２、一般入賞口２５ａ，２５ｂ，２６ａ，２６ｂ、第１及び第２始動チャッカー２７，２８等の周囲には、ステージＳから零れた遊技球や、発射されてからステージＳに関与せずに落下してくる遊技球を適宜散らし、或いは入球に導くようにするための障害釘３０を含む多数の障害釘が打ち込まれている。また、ワープ導入口３７ａ，３７ｂの周囲及びその上方側にも、遊技球を適宜散らし、或いは入球に導くようにするための多数の障害釘が打ち込まれている。このような本パチンコ機１では、遊技領域３ａに打ち出された遊技球を第１及び第２始動チャッカー２７，２８等に、ステージＳを介して入球させ又はステージＳを介さず直接入球させ得るように遊技が進められる。
【００２５】
なお、本実施形態における「ワープ導入」という語句は、遊技領域３ａに打ち出された遊技球を、当該遊技領域３ａの比較的下側に位置する不図示の道釘等を経ることなく、第１始動チャッカー２７の上に導くことを意味する概念である。また、上記「道釘」とは、遊技領域３ａにおいて第１始動チャッカー２７左右に打ち込まれた複数本の障害釘（図示せず）の列を意味するもので、上方から転動落下してきた遊技球を第１及び第２始動チャッカー２７，２８方向に導く役割を担っている。
【００２６】
次に、本パチンコ機１におけるセンター飾り２３の構造を、図２ないし図５を参照して詳細に説明する。なお、図２はセンター飾り２３を遊技盤３から取り外した状態で示す正面図、図３はセンター飾り２３を右斜め上方から見下ろす状態で示す斜視図、図４はセンター飾り２３を左斜め上方から見下ろす状態で示す斜視図、図５は図２のＡ−Ａ線に沿って断面した状態で示す平面断面図である。
【００２７】
すなわち、図２ないし図５に示すように、センター飾り２３は、前後方向にて互いに結合されて組み立てられる前枠体２３ａ及び後枠体２３ｂを備えている。これら枠体２３ａ，２３ｂは、互いに結合された状態で開口部３６を形成する。前枠体２３ａの周囲には、その複数箇所から外方に張り出すようにブラケット部４が形成されており、各ブラケット部４には、後枠体２３ｂを遊技盤３の裏面に配置した状態でネジ止めするための孔が形成されている。
【００２８】
センター飾り２３は、開口部３６の左右に形成されたワープ導入口３７ａ，３７ｂと、開口部３６の上側に配置された可動役物３３と、開口部３６の下側に設けられたステージＳと、下部中央に設けられた球放出部４９と、開口部３６の左右縁部にそれぞれ配置された演出用照明装置５４ａ，５４ｂと、を有している。また、前枠体２３ａにおける可動役物３３の上部には、演出用照明装置（第２の演出用照明装置）２９ａ，２９ｂ，２９ｃがこの順に配置されている。球放出部４９は、第１始動チャッカー２７の直上方に位置して、放出されて落下する遊技球が一対の障害釘３０（図１参照）の間を通って第１始動チャッカー２７にほぼ確実に（つまり、９７〜９９％の高確率で）入賞し得るように位置決め形成されている。
【００２９】
センター飾り２３は、開口部３６の左方に位置する上記ワープ導入口３７ａから導入される遊技球をステージＳに案内する遊技球案内路３９と、遊技球を該遊技球案内路３９からステージＳに放出する放出口３９ａと、を有している。また、センター飾り２３は、開口部３６の右方に位置する上記ワープ導入口３７ｂから導入される遊技球をステージＳに案内する遊技球案内路４４と、遊技球を該遊技球案内路４４からステージＳに放出する放出口４４ａと、を有している。
【００３０】
ステージＳは、円筒状の飾り部５０を中央部に有しており、該飾り部５０の下部中央には、傾斜部５７ｂを介して落下してくる遊技球を球放出部４９に導く落下案内孔５０ａを有している。放出口３９ａと傾斜部５７ｂとの間には、放出口３９ａから放出された遊技球をステージ中央に案内する案内部５５ａが形成されており、放出口４４ａと傾斜部５７ｂとの間には、放出口４４ａから放出された遊技球をステージ中央に案内する案内部５５ｂが形成されている。なお、上記傾斜部５７ｂは、放出口３９ａや放出口４４ａから放出されて案内部５５ａや案内部５５ｂを案内されてきた遊技球、或いは、センター飾り２３下方の道釘（図示せず）等で弾かれて跳び込んできた遊技球を、その勢い（慣性力等）が弱まった時点で落下案内孔５０ａ側に落下させ得るように、緩く傾斜している。
【００３１】
また、案内部５５ａと傾斜部５７ｂとの間、及び案内部５５ｂと傾斜部５７ｂとの間には、放出口３９ａ，４４ａから放出されて案内部５５ａ，５５ｂを案内されてきた遊技球、或いは跳び込んできた遊技球を、その勢いが弱まった時点で遊技領域下方に落下させ得るように、上記傾斜部５７ｂと逆の方向に緩く傾斜する傾斜部５７ａ，５７ｃが形成されている。
【００３２】
更に、案内部５５ａ，５５ｂの手前側（即ち、パチンコ機１に対面して着座する遊技者側）には、転動する遊技球を遊技領域３ａに落下させないようにする前壁部５６ａ，５６ｃが設けられており、傾斜部５７ｂの手前側には、転動する遊技球を遊技領域３ａに落下させないようにする前壁部５６ｂが設けられている。また、案内部５５ａ，５５ｂにおける放出口３９ａ，４４ａ側には、放出された遊技球を当接させて、その勢い及び進路を変える複数個の凸部４２が互い違い（ジグザグ）に形成されている。ステージＳは、案内部５５ａ，５５ｂからステージ中央部に向かって下降するように全体的に傾斜している。
【００３３】
画像表示装置３５の画面３５ａを露出する開口部３６の下縁部には、道釘等で弾かれて画面側に跳び込んできた遊技球をステージＳ側に落下させる傾斜面５８が設けられている。この傾斜面５８の中央部には、上方に僅かに盛り上がる膨出部５８ａが形成されている。飾り部５０は、上部に湾曲面５０ｂを有し、該湾曲面５０ｂの左右に袖部５０ｃ，５０ｄを有している。更に、袖部５０ｃ，５０ｄの左右には、これら袖部５０ｃ，５０ｄや傾斜面５８から落下してくる遊技球をステージＳ側に落下させるように緩く傾斜する傾斜面５０ｅ，５０ｆが設けられている。なお、符号５９は、傾斜面５０ｅ，５０ｆの下方の空間部に進入した遊技球を主に傾斜部５７ａ，５７ｃ側に転がり移動させるように傾斜する傾斜面を示している。
【００３４】
ついで、図６及び図７を参照して、演出用照明装置５４ａ（図２も参照）について詳細に説明する。図６は、図５における演出用照明装置５４ａに係る部位を拡大して示す平面断面図、図７は、演出用照明装置５４ａを分解した状態で示す斜視図である。なお、開口部３６の演出用照明装置５４ａと反対側の縁部には演出用照明装置５４ｂが配置されるが、この演出用照明装置５４ｂは演出用照明装置５４ａと向きが反対なだけで同様の構成を有するので、ここでは演出用照明装置５４ａのみについて説明する。
【００３５】
演出用照明装置５４ａは、前述したように、画面３５ａを開口部３６から露出させた状態で遊技領域３ａに配置されるセンター飾り２３の、開口部３６の左縁部（一縁部）に配置されている。演出用照明装置５４ａは、形状変化がフレキシブルな矩形状の光拡散フィルム１０１と、該光拡散フィルム１０１を所定の湾曲状態に支持するリブ部（支持部）９９と、を有している。演出用照明装置５４ａは更に、リブ部９９に支持された光拡散フィルム１０１にその背面側から光投射する発光ダイオード（ＬＥＤ、発光素子）９６を実装した照明基板９７を有している。
【００３６】
上記リブ部９９は、照明基板９７の前側にてランプハウス６４を形成するように湾曲した複数本（本実施形態では４箇所）を備えている。演出用照明装置５４ａは、これら複数のリブ部９９の湾曲状の外面に光拡散フィルム１０１を接触させて湾曲状に保持するフィルム保持部９３ａ，９３ｂ及び９５ａ，９５ｂを有している。該フィルム保持部９３ａ，９３ｂ、９５ａ，９５ｂは、リブ部９９に接触させて湾曲状になった光拡散フィルム１０１の一縁部と他縁部とをそれぞれ挟み込んで保持する各二列の櫛歯状部として構成されている。
【００３７】
なお、図６における符号７３は、演出用照明装置５４ａの前面を保護する透明プラスチック板を示し、符号７４は、演出用照明装置５４ａの側面を保護する透明プラスチック板を示し、符号７８は、照明基板９７に電気系統を接続するためのコネクタを示し、符号８５は、透明プラスチック板７３を後枠体２３ｂに固定するためのボス部を示している。
【００３８】
従って、以上の構成によれば、演出用照明装置５４ａ（５４ｂ）が、形状変化がフレキシブルな光拡散フィルム１０１と、該光拡散フィルム１０１を所定の状態に支持するリブ部９９と、該リブ部９９に支持された光拡散フィルム１０１にその背面側から光投射するＬＥＤ９６を実装した照明基板９７とを有するので、射出成形等によらないフレキシブルな光拡散フィルム１０１を所定形状に支持するだけでランプハウス６４を柔軟に形成することができる。このため、射出成形等で作製された光照射面の背面側に発光体を配置しただけの構成を有する従来の演出用照明装置に比して、設計上の自由度が高く、かつ演出に応じて必要になる構成への柔軟性を備えた演出用照明装置５４ａ（５４ｂ）を実現することができる。
【００３９】
また、複数のリブ部９９の外面に光拡散フィルム１０１を接触させて湾曲状に保持するだけで照明基板９７の前側にランプハウス６４を容易に形成し、背面側に位置するＬＥＤ９６の投射光を拡散して、演出用照明装置５４ａ（５４ｂ）の前方を良好に照明することができる。更に、フィルム保持部９３ａ，９３ｂ、９５ａ，９５ｂが、湾曲状になった光拡散フィルム１０１の一縁部と他縁部とをそれぞれ挟み込んで保持する各二列の櫛歯状部からなるので、光拡散フィルム１０１を撓ませて櫛歯状部に挟み込むだけの極めて簡単な操作で、リブ部９９に接触させた湾曲状態に光拡散フィルム１０１を確実に保持することができる。
【００４０】
また、前述したように、開口部３６の左右縁部とは異なる上縁部には、演出用照明装置（第２の演出用照明装置）２９ａ，２９ｂ，２９ｃが配置されている。これら演出用照明装置２９ａ，２９ｂ，２９ｃは、いずれも同様の構成を有している。すなわち、図８に示すように、光を透過し拡散する光拡散パネル１０４が、前枠体２３ａの上縁部に設けられており、この光拡散パネル１０４の背面側には、該光拡散パネル１０４にその背面側から光投射するＬＥＤ（発光素子）１０３を実装した照明基板（第２の照明基板）１０２が配置されている。なお、図８は、演出用照明装置２９ａ，２９ｂ，２９ｃを拡大して示す図であり、同図（ａ）は該演出用照明装置２９ａ，２９ｂ，２９ｃの正面図であり、同図（ｂ）は該演出用照明装置２９ａ，２９ｂ，２９ｃの側面断面図である。
【００４１】
したがって、光拡散フィルム１０１を所定状態に支持することでランプハウス６４を形成する演出用照明装置５４ａ，５４ｂに加えて、光拡散パネル１０４と該光拡散パネル１０４に背面側から光投射するＬＥＤ１０３を実装した照明基板１０２とを有する演出用照明装置２９ａ，２９ｂ，２９ｃを備えることで、センター飾り２３に異なる構成の演出用照明装置５４ａ，５４ｂ，２９ａ，２９ｂ，２９ｃをそれぞれ設け、照明構造を多様化することができる。
【００４２】
ついで、本パチンコ機１の背面構造について図９を参照して説明する。同図は、本パチンコ機１の背面構造を示す背面図である。
【００４３】
すなわち、図９に示すように、パチンコ機１の前扉背面における上部左方には、賞球タンク４３が取り付けられており、この賞球タンク４３の下方に、副制御基板３８、主制御基板４０、及び払出し制御基板５１がこの順に配設されている。また、前扉背面における上部右方には、外部端子板５２が取り付けられており、この外部端子板５２の下方に、整列待機通路４５、賞球装置４６、賞球排出通路４７、電源ユニット４１、及び発射装置（図示せず）用の発射制御基板５３がこの順に配設されている。パチンコ機１の前扉背面における左側部には、施錠装置１３が配設されている。
【００４４】
次に、本実施形態におけるパチンコ機１の制御系を図１０に沿って説明する。なお、同図は本パチンコ機の制御系を示すブロック図である。
【００４５】
すなわち、本制御系は、遊技制御装置８０と、該遊技制御装置８０に電気的に接続された、始動チャッカー開閉ソレノイド７０、アタッカー開閉ソレノイド７１、放音装置１２、演出用照明装置８，１１、画像表示装置３５、演出用照明装置５４ａ，５４ｂ、及び演出用照明装置２９ａ，２９ｂ，２９ｃと、を備えている。
【００４６】
遊技制御装置８０は、図９に示した主制御基板４０や副制御基板３８等から構成されている。主制御基板４０は、本パチンコ機１の動作全体を統括的に管理するものであり、当該パチンコ機１の動作全体を管理するシステムプログラム及び遊技用の実行プログラムが予め記憶された半導体メモリ等からなる記憶部（図示せず）と、これらのプログラムを実行する不図示のマイクロプロセッサ（ＭＰＵ）とを備えている。また、副制御基板３８は、主に画像表示、効果音等の演出、効果光等の表示制御を行うように構成されている。
【００４７】
遊技制御装置８０は、入賞判定手段８１、入賞信号出力手段８２、第１抽選手段８３、第２抽選手段８４、普通図柄抽選手段９４、遊技制御手段８６、保留手段８７、作動制御手段８８、作動判定手段８９、作動決定手段９０、演出制御手段９１、及び表示制御手段９２を備えている。
【００４８】
入賞判定手段８１は、発射ハンドル２の操作で作動する発射装置（図示せず）によって遊技領域３ａに打ち出された遊技球が第１及び第２始動チャッカー２７，２８、一般入賞口２５ａ，２５ｂ，２６ａ，２６ｂ、アタッカー５等の何れかに入賞したとき、当該入賞があった旨を判定する。
【００４９】
入賞信号出力手段８２は、入賞判定手段８１によって入賞が判定されたとき、対応する第１及び第２始動チャッカー２７，２８、一般入賞口２５ａ，２５ｂ，２６ａ，２６ｂ、アタッカー５等に入賞した旨の入賞信号を出力する。
【００５０】
第１抽選手段８３及び第２抽選手段８４は、それぞれ、入賞信号出力手段８２からの第１及び第２始動チャッカー２７，２８に対応する入賞信号の入力時、合計の最大保留球数（例えば４個）未満での入賞を契機として、次なる大当たりを当選させるまで遊技者に有利な付加価値を付与し得る特殊状態となる確率変動当たり、及び上記特殊状態とならない通常当たりのうちの何れか一方に当選するように、不図示の抽選用メモリから当たり当選乱数値を取得して、大当たり抽選を実行する。
【００５１】
そして第１及び第２抽選手段８３，８４は、それぞれ、大当たり抽選で確変当たりに当選した場合、不図示の演出用メモリに格納された演出乱数値に基づく抽選で、変動の結果、確変当たりに対応する「１１１」等の図柄が画像表示装置３５の大当たり有効ライン上で最終的に揃う旨の変動パターンを決定し、その旨の変動パターン信号を出力する。なお、上記「大当たり有効ライン」は、大当たりを得るため図柄が一列に並ぶべき位置（ライン）を意味する。
【００５２】
また第１及び第２抽選手段８３，８４は、それぞれ、大当たり抽選で通常当たりが当選した場合に、演出乱数値に基づく抽選で、変動の結果、通常当たりに対応する「２２２」等の図柄が大当たり有効ライン上で最終的に揃う旨の変動パターンを決定し、その旨の変動パターン信号を出力する。更に第１及び第２抽選手段８３，８４は、それぞれ、大当たり抽選で外れた場合に、演出乱数値に基づく抽選で、変動の結果、外れに対応する「２５２」等の図柄が大当たり有効ライン上で最終的に揃う旨の変動パターンを決定し、その旨の変動パターン信号を出力する。
【００５３】
普通図柄抽選手段９４は、第２始動チャッカー２８を開閉動作させるための普通図柄抽選を、普通図柄作動ゲート３２への遊技球通過を契機として行う。
【００５４】
遊技制御手段８６は、放音装置１２、演出用照明装置８，１１、演出用照明装置５４ａ，５４ｂ、演出用照明装置２９ａ，２９ｂ，２９ｃに放音、発光の演出をさせる契機となる指令を、演出制御手段９１に送る。また、遊技制御手段８６は、予め設定された演出データや、第１及び第２抽選手段８３，８４での抽選結果に応じて、画像表示装置３５に表示すべき大当たり抽選に関連する演出内容に関する信号を表示制御手段９２に送る。
【００５５】
保留手段８７は、第１、第２抽選手段８３，８４のいずれかから出力された変動パターン信号を入力し、変動パターンを、第１、第２始動チャッカー２７，２８への入賞の都度に行われた抽選の結果となる保留球として順次記憶する。当該記憶状況は、大当たり抽選保留表示装置（図示せず）に、始動チャッカー２７，２８双方での合計が最大４個の保留球となるように点灯表示される。保留手段８７は、合計の保留球数が４個になっているか否かを常時判定し、保留球数が４個表示されている間は、第１、第２始動チャッカー２７，２８への入賞に拘わらず大当たり抽選は行わない。なお、保留球として点灯表示される保留球数は上記「最大４個」に限らず、例えば３個以下、又は５個以上として適宜設定することも可能である。
【００５６】
そして保留手段８７は、保留（記憶）している変動パターンに係る信号を順次出力し、その変動パターン信号に基づく演出表示が終了するまでは次の変動パターン信号を出力しないようにするための図柄変動禁止フラグを立てる（オンする）と共に、当該オンした図柄変動禁止フラグを解除する時間を計測するための図柄変動タイマ（図示せず）をセットし、変動パターン信号の出力に応じて保留球数を１デクリメントする。また保留手段８７は、保留球の消費に応じて保留球数が４個未満となった場合、第１、第２抽選手段８３，８４で行われる第１、第２始動チャッカー２７，２８への入賞に応答した大当たり抽選の結果を保留球として記憶し、保留球数を１インクリメントする。
【００５７】
作動制御手段８８は、作動決定手段９０の作動開始決定の旨の信号に基づき、始動チャッカー開閉ソレノイド７０に駆動信号を送って該ソレノイド７０を作動させ、第２始動チャッカー２８を開放又は閉塞動作させる。更に作動制御手段８８は、アタッカー開閉ソレノイド７１に駆動信号を送って該ソレノイド７１を作動させ、第１、第２抽選手段８３，８４での抽選による大当たり発生時にアタッカー５を開放して所定数入賞が終了する（又は所定時間が経過する）毎に閉塞する動作を所定回数（所定ラウンド）だけ繰り返すように制御する。
【００５８】
作動判定手段８９は、始動チャッカー開閉ソレノイド７０及びアタッカー開閉ソレノイド７１を作動させるための条件を満たすか否かを判定する。つまり、始動チャッカー開閉ソレノイド７０にあって、第２始動チャッカー２８の開閉の「条件を満たす」時とは、普通図柄抽選手段９４において第１及び第２抽選手段８３，８４の大当たり抽選とは別途行われる普通図柄抽選で当選した場合である。アタッカー開閉ソレノイド７１にあって、アタッカー５の開放の「条件を満たす」時とは、所謂リーチ（所謂スーパーリーチ、ノーマルリーチを含む）の状態から３つの同じ図柄が大当たり有効ライン上で揃って大当たりが発生した場合であり、アタッカー５の閉塞の「条件を満たす」時とは、大当たり発生時の全てのラウンドにおける入賞を完了した場合である。
【００５９】
作動決定手段９０は、作動判定手段８９からの判定信号を受けて、始動チャッカー開閉ソレノイド７０、アタッカー開閉ソレノイド７１の作動開始をそれぞれに決定する。
【００６０】
演出制御手段９１は、遊技制御手段８６からの指令に応答して、放音装置１２を放音駆動し、演出用照明装置８，１１、演出用照明装置５４ａ，５４ｂ、演出用照明装置２９ａ，２９ｂ，２９ｃを発光駆動し、遊技者の聴覚や視覚に訴える演出を行う。
【００６１】
表示制御手段９２は、遊技制御手段８６からの信号に従って、画像表示装置３５を駆動し、大当たり抽選結果を中心とした内容等の演出を、遊技者の視覚に訴えるように演出表示する。その際、表示制御手段９２は、第１及び第２抽選手段８３，８４それぞれによる各抽選結果を、画像表示装置３５の画面３５ａに時系列的に表示する。
【００６２】
また、始動チャッカー開閉ソレノイド７０は、作動制御手段８８から送信された駆動信号に応答してプランジャ（図示せず）を進退動作させて、第２始動チャッカー２８を開閉動作させる。アタッカー開閉ソレノイド７１は、作動制御手段８８から送信された駆動信号に応答してプランジャ（図示せず）を進退動作させて、アタッカー５を開閉動作させる。
【００６３】
放音装置１２は、演出制御手段９１の制御に従ってスピーカー（図示せず）を駆動させ、演出に応じた効果音を発する。演出用照明装置８，１１、演出用照明装置５４ａ，５４ｂ、演出用照明装置２９ａ，２９ｂ，２９ｃは、演出制御手段９１の制御に従ってその内蔵する電飾ランプ（図示せず）やＬＥＤ９６，１０３を発光駆動（点灯、点滅）させ、演出に応じた照明を行う。画像表示装置３５は、表示制御手段９２の制御に従って作動し、演出データや第１、第２抽選手段８３，８４での抽選結果に応じた演出表示を行う。
【００６４】
次に、本パチンコ機１による作用について、図１１のフローチャートを併せて参照しつつ説明する。
【００６５】
すなわち、本パチンコ機１に対面して着座した遊技者が発射ハンドル２を握り、適宜の角度に回動操作すると（ステップＳ１）、発射装置の作動で遊技球が所定の時間間隔で遊技領域３ａに向けて連続的に発射される。すると、遊技領域３ａに打ち出されて転動落下する多数の遊技球は、第１、第２始動チャッカー２７，２８や一般入賞口２５ａ，２５ｂ，２６ａ，２６ｂに適時入賞し、或いは、これらに関与せずに転動落下して、遊技領域３ａ最下部のアウト口（図示せず）から遊技盤３背面側に排出される。
【００６６】
遊技領域３ａに打ち出された遊技球の一部がワープ導入口３７ａ又はワープ導入口３７ｂに入球すると、その遊技球は、遊技球案内路３９又は遊技球案内路４４に進入し、放出口３９ａ又は放出口４４ａからステージＳに向けて放出される。
【００６７】
この際、例えば放出口３９ａから放出された遊技球は、案内部５５ａ、傾斜部５７ａ，５７ｂを通過して案内部５５ｂ側に転動し、案内部５５ｂの右端部で反転して該案内部５５ｂの傾斜に沿ってステージＳの中央側に折り返す。この時点で、通常は、傾斜部５７ａ側に一旦通過するが案内部５５ａを上昇するだけの勢いはなくなっており、傾斜部５７ｃ側に戻ろうとし、その際、傾斜部５７ｂを傾斜部５７ｃ側に通過しきれないときは該傾斜部５７ｂの傾斜に沿って落下案内孔５０ａに落下し、球放出部４９から放出されることになる。なお、ワープ導入口３７ｂから導入されて放出口４４ａから放出される遊技球の動きは、これらと略々逆になる。
【００６８】
そして、球放出部４９から放出された遊技球は、高い入賞確率（略１００％）で第１始動チャッカー２７に入賞する。当該遊技球は、殆どの場合、第１始動チャッカー２７に入賞することになるが、障害釘３０への当接状況によっては入賞できないこともある。一方、傾斜部５７ｂから落下案内孔５０ａに導入されない遊技球は、傾斜部５７ａ，５７ｃからセンター飾り２３下方に放出されて、第１始動チャッカー２７とは異なる方向に落下するが、場合によっては、障害釘３０の左右に打ち込まれた所謂ジャンプ釘（図示せず）や、このジャンプ釘から左右方向に配列された道釘（図示せず）で弾き返されることで、障害釘３０に絡んでその間を落下して第１始動チャッカー２７に入賞することもある。
【００６９】
ところで、第１及び第２始動チャッカー２７，２８や一般入賞口２５ａ，２５ｂ，２６ａ，２６ｂの何れかに遊技球が入賞した場合には、入賞判定手段８１が当該入賞を判定し、且つ入賞信号出力手段８２が入賞信号を出力する（ステップＳ２）。
【００７０】
そして、大当たり抽選で当選した場合（ステップＳ３）、第１、第２抽選手段８３，８４のうち該当する側が当たりフラグをオンすると、演出用メモリに格納された演出乱数値に基づく抽選で、大当たりの種別、つまり確変当たり又は通常当たりに対応する変動パターンが決定される。
【００７１】
これにより、ステップＳ４において、画像表示装置３５に表示されるべき当たり図柄がセットされ、第１抽選手段８３又は第２抽選手段８４は、その旨の変動パターン信号を出力すると共に、当該変動パターン信号に基づく演出表示が終了するまでは次の変動パターン信号を送信しないようにするために図柄変動禁止フラグをオンし、当該オンした図柄変動禁止フラグを解除する時間を計測するための図柄変動タイマをセットし、変動パターン信号の送信に応じて保留球数を１デクリメントする。一方、大当たり抽選で外れた場合には、演出用メモリに格納された演出乱数値に基づく抽選で、変動の結果、外れに対応する図柄が最終的に揃う旨の変動パターンが決定される。これにより、画像表示装置３５に表示される外れ図柄がセットされ、第１抽選手段８３又は第２抽選手段８４は、その旨の変動パターン信号を出力すると共に、図柄変動禁止フラグをオンし、図柄変動タイマをセットし、変動パターン信号の送信に応じて保留球数を１デクリメントする。
【００７２】
以上のようにして、遊技制御手段８６が、画像表示装置３５の画面３５ａに表示すべき演出内容に関する信号を、表示制御手段９２に送信することに基づき、表示制御手段９２は、画像表示装置３５を適時駆動し、大当たり抽選結果に関する内容等を、遊技者の視覚に訴えるように演出表示することとなる（ステップＳ５）。この際、遊技制御手段８６から指令が出ていれば、演出制御手段９１は、画面３５ａ上の演出に合わせて、放音装置１２を放音駆動し、或いは、演出用照明装置８，１１、演出用照明装置５４ａ，５４ｂ、演出用照明装置２９ａ，２９ｂ，２９ｃを発光駆動して、演出を盛り上げるように作動制御する。
【００７３】
そして、画像表示装置３５の画面３５ａ上に表れた抽選結果が大当たり決定である場合、作動制御手段８８は、作動決定手段９０の作動開始決定の旨の信号に基づき、所定のタイミングでアタッカー開閉ソレノイド７１に駆動信号を送り、当該ソレノイド７１を作動させてアタッカー５を開放し、所定数入賞が終了する（又は所定時間が経過する）毎に閉塞する動作を所定回数（所定ラウンド）だけ繰り返させる。これにより、アタッカー５に入賞した遊技球に対応する多量の遊技球が球供給口１７から皿ユニット１６に払い出されることとなる（ステップＳ６）。
【００７４】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００７５】
【図１】本発明の実施形態におけるパチンコ機の外部構造を示す正面図である。
【図２】センター飾りを遊技盤から取り外した状態で示す正面図である。
【図３】センター飾りを右斜め上方から見下ろす状態で示す斜視図である。
【図４】センター飾りを左斜め上方から見下ろす状態で示す斜視図である。
【図５】図２のＡ−Ａ線に沿って断面した状態で示す平面断面図である。
【図６】図５における演出用照明装置に係る部位を拡大して示す平面断面図である。
【図７】演出用照明装置を分解した状態で示す斜視図である。
【図８】開口部上部に位置する演出用照明装置を拡大して示す図であり、同図（ａ）は該演出用照明装置の正面図であり、同図（ｂ）は該演出用照明装置の側面断面図である。
【図９】本実施形態のパチンコ機の背面構造を示す背面図である。
【図１０】本パチンコ機の制御系を示すブロック図である。
【図１１】本パチンコ機による作用を説明するためのフローチャートである。
【符号の説明】
【００７６】
１    遊技機（パチンコ機）
３ａ    遊技領域
２３    センター役物（センター飾り）
２９ａ，２９ｂ，２９ｃ    第２の演出用照明装置（演出用照明装置）
３５    画像表示装置
３５ａ    画面
３６    開口部
５４ａ，５４ｂ    演出用照明装置
６４    ランプハウス
９３ａ，９３ｂ，９５ａ，９５ｂ    櫛歯状部（フィルム保持部）
９６    発光素子（ＬＥＤ）
９７    照明基板
９９    支持部（リブ部）
１０１    光拡散フィルム
１０２    第２の照明基板（照明基板）
１０３    発光素子（ＬＥＤ）
１０４    光拡散パネル
【図１】
2008200218.tif 000003
【図２】
2008200218.tif 000004
【図３】
2008200218.tif 000005
【図４】
2008200218.tif 000006
【図５】
2008200218.tif 000007
【図６】
2008200218.tif 000008
【図７】
2008200218.tif 000009
【図８】
2008200218.tif 000010
【図９】
2008200218.tif 000011
【図１０】
2008200218.tif 000012
【図１１】
2008200218.tif 000013